(57)【要約】【課題】コリニア式ホログラフィの記録再生において、記録再生情報の品位とサーボの安定性を高め、システム全体での消費電力を効果的に抑える。【解決手段】光情報記録再生装置は、コリニア式ホログラフィの記録再生において、記録再生用レーザとサーボ用レーザを時分割で発光するように制御する。情報再生時は、記録再生用レーザが発光している間、サーボ用レーザの発光を停止するように制御する。情報記録時は、記録再生用レーザが発光している間、サーボ用レーザの発光を停止するように制御する。或いは、記録媒体の移動時は、記録再生用レーザの発光を停止し、サーボ用レーザが発光するように制御する。【選択図】図３
2007148111.tif 000002
【特許請求の範囲】
【請求項１】
第１のレーザ光源、空間光変調器、リレー光学系、対物レンズ、及び光検出器を有し且つ記録媒体に対する情報記録及び再生を行う光学系と、第２のレーザ光源とを有し、
前記情報記録時に、前記第１のレーザ光源からの光束を前記空間光変調器に照射し、該空間光変調器により参照光と情報光を生成し、前記リレー光学系を介して前記対物レンズに導き、該対物レンズによりホログラフィを利用して移動状態にある前記記録媒体に情報を記録し、
前記情報再生時に、前記空間光変調器からの参照光のみを前記記録媒体に照射し、該記録媒体からの反射光を前記光検出器に導き前記情報を再生し、
前記情報記録時及び再生時に、前記第２のレーザ光源からの光束を、前記第１のレーザ光源から前記対物レンズへ至る前記光学系内の光路上に合流させて前記対物レンズに導き、該対物レンズの照射光の前記記録媒体からの反射光よりプリフォーマット信号及びサーボ用信号を得てアドレッシング及び記録媒体移動追従を行う光情報記録再生装置であって、
前記第１のレーザ光源と前記第２のレーザ光源を時分割で発光するように制御する制御手段を備えたことを特徴とする光情報記録再生装置。
【請求項２】
前記制御手段は、前記情報再生時に、前記第１のレーザ光源が発光している間、前記第２のレーザ光源の発光を停止するように制御することを特徴とする請求項１記載の光情報記録再生装置。
【請求項３】
前記制御手段は、前記情報記録時に、前記第１のレーザ光源が発光している間、前記第２のレーザ光源の発光を停止するように制御することを特徴とする請求項１記載の光情報記録再生装置。
【請求項４】
前記制御手段は、前記記録媒体の移動時に、前記第１のレーザ光源の発光を停止し、前記第２のレーザ光源が発光するように制御することを特徴とする請求項１記載の光情報記録再生装置。
【請求項５】
情報記録時に、第１のレーザ光源からの光束を空間光変調器に照射し、該空間光変調器により参照光と情報光を生成し、リレー光学系を介して対物レンズに導き、該対物レンズによりホログラフィを利用して移動状態にある記録媒体に光情報を記録し、
情報再生時に、前記空間光変調器からの参照光のみを前記記録媒体に照射し、該記録媒体からの反射光を前記光検出器に導き情報を再生し、
前記情報記録時及び再生時に、第２のレーザ光源からの光束を、前記第１の光源から前記対物レンズへ至る光学系内の光路上に合流させて前記対物レンズに導き、該対物レンズの照射光の前記記録媒体からの反射光よりプリフォーマット信号及びサーボ用信号を得てアドレッシング及び記録媒体移動追従を行う光情報記録再生方法であって、
前記第１のレーザ光源と前記第２のレーザ光源を時分割で発光するように制御することを特徴とする光情報記録再生方法。
【請求項６】
前記情報再生時に、前記第１のレーザ光源が発光している間、前記第２のレーザ光源の発光を停止するように制御することを特徴とする請求項５記載の光情報記録再生方法。
【請求項７】
前記情報記録時に、前記第１のレーザ光源が発光している間、前記第２のレーザ光源の発光を停止するように制御することを特徴とする請求項５記載の光情報記録再生方法。
【請求項８】
前記記録媒体の移動時に、前記第１のレーザ光源の発光を停止し、前記第２のレーザ光源が発光するように制御することを特徴とする請求項５記載の光情報記録再生方法。
【発明の詳細な説明】
【技術分野】
【０００１】
本発明は、情報光と参照光を光記録媒体内で干渉させ、その干渉縞のパターンを情報として光記録媒体に記録し、またその光記録媒体に参照光を照射することによって情報を再生する光情報記録再生装置およびその記録再生方法に関する。
【背景技術】
【０００２】
光記録媒体は、その可搬性や非接触性などの特長から、ユーザにとって身近な記録媒体の地位を築いており、近年では映画や音楽の記録媒体としてＤＶＤの市場が成熟しつつある。しかしながら、映像や音楽の更なる高品質化に伴い、光記録媒体に求められる記録容量は増加の一途を辿っており、記録密度を高める方法が盛んに研究開発されている。その中でも近年、ホログラフィを利用した体積型高密度光情報記録方式が注目されている。このホログラフィを用いた光情報記録方式とは、情報光と参照光とを干渉させ、形成された三次元的な干渉縞を記録するものである。これによると、再生時には記録された干渉縞に参照光と同じ方向から再生光を照射することで、干渉によって情報が再生される。こういったホログラフィ方式では、記録媒体の厚み方向にも情報を持たせることができるため、これまでの光情報記録方式よりも格段に記録密度を向上させることができる。
【０００３】
ホログラフィを利用した光情報記録方式では、情報光と参照光を二つの別々の光路から記録媒体へ光を照射する二光束干渉方式と、情報光と参照光を同軸に重ね合わせた後に光情報記録媒体へ照射させるコリニア方式とが知られている。コリニア方式については、非特許文献１でその詳細が説明されている。このうち、従来の光ディスクの光学系を大幅な変更を伴わないで応用できるという点で、コリニア方式が有利であるとされており、これまでにもコリニア方式のホログラムを用いた光情報記録方式で実用的な提案が多数なされている。
【０００４】
例えば特許文献１では、より実用的となるように記録媒体を回転させる従来の光情報記録方式を活用したものが開示されている。この方式では、図５に示すように、光記録媒体４６に、アドレス情報やガイド溝を有する層（以下、アドレス層）４１と、そのアドレス層４１とは別にホログラフィを利用して情報を記録する層（以下、ホログラム層）４２とを設けている。このような構成にすることで、サーボ用レーザ光によってトラッキングを行いながら、記録再生用レーザ光４３によって光記録媒体４６内にホログラム４４を形成する。そして、そのホログラム４４を光記録媒体４６内のホログラム層４２に記録する。また、記録再生用レーザ光４３によって、光記録媒体４６内のホログラム層４２に記録された情報を読み取ることができ、従来の光情報記録再生装置との互換性も確保している。
【特許文献１】特開平１１−３１１９３６号公報
【非特許文献１】譚小地、他１名、「ホログラフィックメモリ／ＨＤＶＴＭを支える計測・ナノ制御技術」、第３５回光波センシング技術研究会講演論文集（Proceeding of 35th Meeting on Lightwave Sensing Technology）、２００５年６月、ｐ．７５−８２
【発明の開示】
【発明が解決しようとする課題】
【０００５】
しかしながら、このような構成では、トラッキングなどを行うためのサーボ用レーザ光が、情報を記録再生するレーザ光と同時に照射されることになる。
【０００６】
例えば、再生時には、ホログラムに記録された情報を担持した再生用レーザ光に、サーボ用レーザ光が迷光として重ね合わされてしまうために信号の品位が損なわれるという問題点がある。図５に示した従来例の光記録媒体４６では、アドレス層４１とホログラム層４２との間にダイクロイックミラー層４５を挿入することで迷光による影響を抑えようとしているが、各レーザ光を完全に分離することは難しく、その効果は限定的である。
【０００７】
また、記録時においても２つのレーザを同時に照射していることは、装置の消費電力のうえで問題となる。
【０００８】
そこで、本発明は、コリニア式ホログラフィを利用した光情報記録再生方式において、サーボ用レーザ光による迷光を効果的に防ぎ、記録再生信号の品位を損なわない光情報記録再生装置および光情報記録再生方法を提供することを目的としている。さらに、本発明は、システム全体での消費電力を効果的に抑えることも目的としている。
【課題を解決するための手段】
【０００９】
上記目的を達成するため、本発明に係る光情報記録再生装置は、第１のレーザ光源、空間光変調器、リレー光学系、対物レンズ、及び光検出器を有し且つ記録媒体に対する情報記録及び再生を行う光学系と、第２のレーザ光源とを有し、前記情報記録時に、前記第１のレーザ光源からの光束を前記空間光変調器に照射し、該空間光変調器により参照光と情報光を生成し、前記リレー光学系を介して前記対物レンズに導き、該対物レンズによりホログラフィを利用して移動状態にある前記記録媒体に情報を記録し、前記情報再生時に、前記空間光変調器からの参照光のみを前記記録媒体に照射し、該記録媒体からの反射光を前記光検出器に導き前記情報を再生し、前記情報記録時及び再生時に、前記第２のレーザ光源からの光束を、前記第１のレーザ光源から前記対物レンズへ至る前記光学系内の光路上に合流させて前記対物レンズに導き、該対物レンズの照射光の前記記録媒体からの反射光よりプリフォーマット信号及びサーボ用信号を得てアドレッシング及び記録媒体移動追従を行う光情報記録再生装置であって、前記第１のレーザ光源と前記第２のレーザ光源を時分割で発光するように制御する制御手段を備えたことを特徴とする。
【００１０】
好適な態様として、前記制御手段は、前記情報再生時に、前記第１のレーザ光源が発光している間、前記第２のレーザ光源の発光を停止するように制御してもよい。また、前記制御手段は、前記情報記録時に、前記第１のレーザ光源が発光している間、前記第２のレーザ光源の発光を停止するように制御してもよい。さらに、前記制御手段は、前記記録媒体の移動時に、前記第１のレーザ光源の発光を停止し、前記第２のレーザ光源が発光するように制御してもよい。
【００１１】
また、本発明に係る光情報記録再生方法は、情報記録時に、第１のレーザ光源からの光束を空間光変調器に照射し、該空間光変調器により参照光と情報光を生成し、リレー光学系を介して対物レンズに導き、該対物レンズによりホログラフィを利用して移動状態にある記録媒体に光情報を記録し、情報再生時に、前記空間光変調器からの参照光のみを前記記録媒体に照射し、該記録媒体からの反射光を前記光検出器に導き情報を再生し、前記情報記録時及び再生時に、第２のレーザ光源からの光束を、前記第１の光源から前記対物レンズへ至る光学系内の光路上に合流させて前記対物レンズに導き、該対物レンズの照射光の前記記録媒体からの反射光よりプリフォーマット信号及びサーボ用信号を得てアドレッシング及び記録媒体移動追従を行う光情報記録再生方法であって、前記第１のレーザ光源と前記第２のレーザ光源を時分割で発光するように制御することを特徴とする。
【００１２】
好適な態様として、前記情報再生時に、前記第１のレーザ光源が発光している間、前記第２のレーザ光源の発光を停止するように制御してもよい。また、前記情報記録時に、前記第１のレーザ光源が発光している間、前記第２のレーザ光源の発光を停止するように制御してもよい。さらに、前記記録媒体の移動時に、前記第１のレーザ光源の発光を停止し、前記第２のレーザ光源が発光するように制御してもよい。
【発明の効果】
【００１３】
本発明によれば、コリニア式ホログラフィを利用した光情報記録再生において、記録再生用レーザ光とサーボ用レーザ光を時分割して光情報記録媒体に照射することで、サーボ光により迷光を防ぎ、再生信号の品位を高めることができる。また消費電力を小さくすることができる。従って、記録再生情報の品位とサーボの安定性を高め、システム全体での消費電力を効果的に抑えることが可能である。
【発明を実施するための最良の形態】
【００１４】
以下、図面を参照しながら、本発明に係る光情報記録再生装置および光情報記録再生方法の種々の実施例について詳細に説明する。
【実施例１】
【００１５】
図１は、本実施例に係るコリニア式ホログラフィを利用した光情報記録再生装置の光学系の概略図である。
【００１６】
図1に示す本実施例の光情報記録再生装置は、記録再生用レーザ（第１のレーザ光源）１０１と、その光照射側の光路上に、ミラー１１１、空間光変調素子（空間光変調器）１０２、および偏光ビームスプリッタ（以下、ＰＢＳ）１０３を有する。ＰＢＳ１０３の一方の光路上には、光検出器１０６が配置される。ＰＢＳ１０３の他方の光路上には、リレー光学系を成す一対のリレーレンズ（非図示）、ミラー１１２、およびダイクロイックミラー１０８が配置される。ダイクロイックミラー１０８の一方の光路上には、１／４波長板１０４及び対物レンズ１０５が配置される。以上の光学素子により記録再生用光学系が構成されている。
【００１７】
また、ダイクロイックミラー１０８の他方の光路上には、サーボ用レーザ１０７（第２のレーザ光源）が配置される。サーボ用レーザ１０７の光照射側の光路上には、ＰＢＳ１０９が配置される。ＰＢＳ１０９の一方の光路上には、光検出器１１０が配置される。ＰＢＳ１０９の他方の光路上には、レンズ１１３及びミラー１１４が配置される。以上の光学素子によりサーボ用光学系が構成されている。
【００１８】
次に、本実施例の光情報記録再生装置の全体動作を説明する。なお、説明では、記録再生のうち特に再生時について詳細に説明する。記録時については、再生時の実施形態において、記録再生用レーザ１０１から、記録用レーザ光を照射する点と、記録用レーザ光が光記録媒体４６以降では無視できる点が異なる。
【００１９】
まず、再生時に、記録再生用レーザ１０１から再生用レーザ光が照射される。このときレーザ光は直線偏光である。再生用レーザ光は、ミラー１１１を介して空間光変調素子１０２に入射され、空間光変調素子１０２で反射されることによって、参照光となる。ここで空間光変調素子は、ＤＭＤ（ディジタル・マイクロミラー・デバイス又はDeformable Mirror Device）やＬＣＯＳ（Liquid Crystal On Silicon：反射型液晶）など反射型のものを用いる。
【００２０】
空間光変調素子１０２によって生成された参照光は、ＰＢＳ１０３を透過し、一対のリレーレンズ（非図示）のうちの一方を介してミラー１１２で反射され、一対のリレーレンズ（非図示）のうちの他方を介して更に１／４波長板１０４を透過する。このとき、透過光は円偏光となり、その後、対物レンズ１０５によって光記録媒体４６に集光される。
【００２１】
光記録媒体４６内に照射された参照光が合焦する位置は、再生用レーザ光の反射率が最も高いダイクロイックミラー層４５である。ホログラム層４２では、反射前の参照光と、情報を記録されたホログラムとが干渉を起こすことで、再生情報を含んだ情報光が生成される。
【００２２】
情報光は、ダイクロイックミラー層４５で反射されているため、反射前とは逆方向の円偏光となり、１／４波長板１０４で反射前とは直交する直線偏光となる。そして、反射前の参照光が透過したＰＢＳ１０３で偏光方向の違いによって反射され、光検出器１０６に入射する。ここで光検出器１０６としては、ＣＭＯＳ（Complementary Metal Oxide Semiconductor）やＣＣＤ（Charge Coupled Devices）を用いることができるが、光の強度分布を電気信号に変換できればよく特に限定されるものではない。
【００２３】
一方、再生光学系を光記録媒体４６のガイド溝にトラッキングさせるために使用するサーボ用レーザ１０７から直線偏光光束であるサーボ用レーザ光が照射される。サーボ用レーザ光は、ＰＢＳ１０９を反射し、レンズ１１３にて平行光束とされ、ミラー１１４で反射されてダイクロイックミラー１０８に入射する。ダイクロイックミラー１０８は、再生用レーザ光である参照光を透過し、サーボ用レーザ光を反射する。これにより、サーボ用レーザ光は、ダイクロイックミラー１０８によって参照光と同じ光路に導入後、１／４波長板１０４、対物レンズ１０５を透過して、光記録媒体４６内のガイド溝やアドレス情報が形成されているアドレス層４１に集光される。
【００２４】
ダイクロイックミラー１０８は、波長の違いによって光の反射率が異なるミラーであるため、再生用レーザ光とサーボ用レーザ光は異なる波長である必要がある。また、上記した説明では、再生用レーザ光（参照光）がダイクロイックミラー１０８を透過し、サーボ光が反射するという光学系となっている。これとは逆に、参照光が反射し、サーボ光が透過するダイクロイックミラー１０８を用いてもよく、この場合はそれにしたがって光学系を変更すればよい。
【００２５】
光記録媒体４６内のアドレス層４１で反射され、アドレスやトラッキングなどのサーボ情報を含んだサーボ光は、対物レンズ１０５、１／４波長板１０４を透過し、ダイクロイックミラー１０８によって反射される。すなわち、この反射後のサーボ光は、反射前の光とは直交する直線偏光となっているために、ＰＢＳ１０９を透過し、光検出器１１０に入射する。
【００２６】
なお、光記録媒体４６は、ディスク型、カード型などの記録媒体が考えられるが、ホログラム層４２、アドレス層４１、ダイクロイックミラー層４５の構成を備えてホログラフィを用いた記録再生ができればよく、特に限定されるものではない。本実施例においては、ディスク型の媒体を用いた。
【００２７】
図２は、本実施例に係るコリニア式ホログラフィを利用した光情報記録再生装置の上記光学系を含む光ヘッド近傍の概略図である。
【００２８】
図２に示すように、光記録媒体４６がスピンドルモータ等の光記録媒体回転手段２０１によって保持され、回転される。光記録媒体４６のホログラム層４２側に、光ヘッド２０２が位置している。
【００２９】
光ヘッド２０２内には、前述した記録再生用レーザ１０１と、サーボ用レーザ１０７が備えられている。記録再生用レーザ１０１から照射された再生光は、コリメータレンズ２０３によって平行光となり、一対のリレーレンズ２０４を透過する。再生光は直線偏光であり、照射時の再生光を透過するように設けられたＰＢＳ１０３を透過する。
【００３０】
その後、再生光は、１／４波長板２０５によって円偏光となり、反射型の空間変調素子１０２によって反射される。空間光変調素子１０２は、再生光を、記録時の参照光と同じ強度および位相分布に変換するとともに、反射によって再生光の偏光回転方向を逆回りとする。再度、１／４波長板２０５を透過した再生光は、反射前の再生光と直交する直線偏光となり、ＰＢＳ１０３によって反射される。ＰＢＳ１０３で反射された再生光は、１／４波長板２０６によって円偏光に変換され、対物レンズ１０５によって光記録媒体４６内のダイクロイックミラー層４５に焦点を結ぶように集光される。光記録媒体４６内のホログラム層４２においては、円錐型の光束が存在することになる。
【００３１】
光記録媒体４６内のホログラム層４２を透過し、アドレス層４１によって反射されて情報を担持するとともに逆周りの円偏光となった再生光は、ＰＢＳ１０３を透過し、光検出器１０６に入射して検出され、再生信号となる。また、記録に際しては、記録用レーザ光を空間光変調素子１０２において情報光と参照光に対応した強度および位相分布に変換し、ホログラム層４２内で干渉縞を形成することで情報を記録することになる。
【００３２】
一方、サーボ用レーザ１０７から照射されたサーボ用レーザ光は、再生光と同様にコリメータレンズ２０７、リレーレンズ２０８、ＰＢＳ１０９、１／４波長板２０９を透過し、円偏光となる。その後、サーボ用レーザ光の波長のみを反射するダイクロイックミラー１０８によって、再生光と同じ光路に導入され、再生光と同様に対物レンズ１０５によって光記録媒体４６内のアドレス層４１に焦点を結ぶように集光される。
【００３３】
光記録媒体４６内のアドレス層４１によって反射されたサーボ用レーザ光は、再度ダイクロイックミラー１０８によって反射され、１／４波長板２０９によって直線偏光となる。直線偏光から円偏光を経て直線偏光に戻るまでの間に３回反射することから、光記録媒体４６内のアドレス層４１で反射されて戻ったサーボ用レーザ光は、反射前と直交する直線偏光となる。その結果、ＰＢＳ１０９で反射され、光検出器１１０に入射して検出され、サーボ信号となる。
【００３４】
ここで、本実施例においては、コントローラ３０１からの制御信号により、上記の再生用レーザ光とサーボ用レーザ光を時分割して照射するように記録再生用レーザ１０１及びサーボ用レーザ１０７の発光タイミングを制御している。このため、各レーザ光が検出する信号も時分割されたものとなる。したがって、その信号を検出する光検出器も各レーザ光が照射されたタイミングに合わせて信号を検出する必要がある。その方法としては、光検出器から得られる連続的な信号を、各レーザの変調信号と同期して電気的に分割処理を行う方法、あるいはシャッターを使って物理的にレーザ光を時分割するなどの方法が一例として考えられる。要は、各レーザ光のタイミングに合わせることができればよく、特に限定されるものではない。
【００３５】
図３は、本実施例において、コントローラ３０１による発光タイミング制御により再生用レーザ光とサーボ用レーザ光の照射を時分割する様子を、時間、レーザパワー、消費電力、光記録媒体の回転数で説明した波形図である。図中の縦軸は、再生用レーザ光の強度、サーボ用レーザ光の強度、光記録媒体の回転数をそれぞれ示し、横軸は時間を示している。
【００３６】
図３は、サーボ用レーザ光を再生のタイミングにだけ照射しない場合を示している。この場合、コントローラ３０１は、サーボ用レーザ光照射中に光記録媒体４６内のアドレス層４１に対してトラッキングを行い、情報の再生に必要な一定期間だけ、再生用レーザ光を照射し、サーボ用レーザ光を照射しないように制御する。すなわち、サーボ用レーザ１０７からサーボ用レーザ光を照射している間は、記録再生用レーザ１０１から再生用レーザ光は照射しない。その逆に、記録再生用レーザ１０１から再生用レーザ光を照射している間は、サーボ用レーザ１０７からサーボ用レーザ光は照射しない。
【００３７】
これによって、ホログラムに記録された情報を担持した再生光が光検出器１０６に入射する間には、サーボ光の一部が迷光として光検出器１０６に入射することがなくなるため、再生信号の品位が悪化することを防げる。
【００３８】
本実施例では、サーボ用レーザ光を照射せず、再生用レーザ光を照射し、情報を再生する時間を５００［μｓｅｃ］とした。再生用レーザ光を照射し、サーボ用レーザ光を照射しない期間は、トラッキングなどのサーボは直前のサーボ用レーザ光によって得られたサーボ状態を維持する。
【００３９】
すなわち、図３に示すように、再生用レーザ光照射時Ｒ１では、直前のサーボ光照射時Ｓ１でのサーボ状態を維持し、その後Ｒ２ではＳ２を、Ｒ３ではＳ３をというようにサーボ状態を維持する。光記録媒体４６が回転することによる慣性のために、再生用レーザ光を照射し、サーボ光を照射しない期間においてもサーボは安定しやすくなる。
【００４０】
また、本実施例の記録段階においては、サーボ用レーザ光を照射せず、記録用レーザ光を照射し、情報を記録する時間を、再生段階と同じ５００μｓｅｃとした。また、サーボの状態も再生段階と同じように直前のサーボ状態を維持するようにした。このようにして、本実施例によれば、記録用レーザ光とサーボ用レーザ光を時分割によって照射することによって、消費電力を小さくすることができる。
【００４１】
従って、本実施例によれば、コリニア式ホログラフィを利用した光情報記録再生において、記録再生用レーザ光とサーボ用レーザ光を時分割して光記録媒体に照射することで、サーボ光による迷光を防ぎ、再生信号の品位を高めることができる。また、消費電力を小さくすることができる。
【実施例２】
【００４２】
次に、第２の実施例について説明する。本実施例においては、光記録媒体としてカード型のものを用いた。
【００４３】
図４は、サーボ用レーザ光を再生のタイミングにだけ照射しないだけでなく、再生している一定期間光記録媒体の回転を止める場合を示している。この場合、コントローラは、再生用レーザ光を照射しない時間に、光記録媒体が回転方向に加速及び減速によって移動するように制御する。通常ホログラムを用いた光記録媒体では、数μｍごとにデータ記録領域が設けられるため、再生光を照射しない時間に、データ記録領域間の距離だけ移動することになる。
【００４４】
本実施例では、サーボ用レーザ光を照射せず、再生用レーザ光を照射し、且つ光記録媒体の回転を止めて情報を再生する時間を５００［μｓｅｃ］とした。この場合、再生用レーザ光を照射する期間に光記録媒体が移動することがないため、再生信号の品位としては第１の実施例と比べて、より良くなる。
【００４５】
また、本実施例の記録段階においても、サーボ用レーザ光を照射せず、記録用レーザ光（再生用レーザ光と同じ）を照射し、且つ光記録媒体の回転を止めて情報を記録する時間を、再生段階と同じ５００［μｓｅｃ］とした。
【００４６】
記録段階においては、干渉縞をホログラム層内に記録するが、ある程度の体積の感光性樹脂を感光させるために再生段階と比較して、よりエネルギーを必要とする。本実施例の場合、光記録媒体が停止することで一定の箇所に対して露光が行えるため、光記録媒体が移動しつづける第１の実施例と比べて、記録される情報の品位がより良くなる。また、同様に一定の箇所に露光が行えるため、記録再生用光源としてＤＶＤやＣＤと同じような低パワーで安価な半導体レーザなどを用いることができ、記録再生装置の低コスト化も可能となる。
【００４７】
なお、上記の各実施例では、空間光変調器としてＤＭＤ又はＬＣＯＳ等の反射型のものを用いているが、本発明はこれに限らず、例えば透過型液晶等の透過型のものを用いてもよい。この場合、ミラー１１１は不要となる。
【００４８】
また、上記の各実施例では、記録再生用レーザ及びサーボ用レーザを時分割で発光させるための制御手段として、装置内のコントローラを例示しているが、本発明はこれに限定されない。要は、これと同等の機能を実現可能な制御回路を有するものであれば、いずれの構成であっても適用可能である。
【産業上の利用可能性】
【００４９】
本発明は、情報光と参照光を光記録媒体内で干渉させ、その干渉縞を情報として光記録媒体に記録し、光記録媒体に記録された情報に参照光を照射することで記録情報を再生する光情報記録再生装置の用途に適用できる。また、これで用いるホログラフィ用光ピックアップ装置の用途に適用できる。
【図面の簡単な説明】
【００５０】
【図１】本発明の第１の実施例に係る光情報記録再生装置の光学系の概略図である。
【図２】本発明の第１の実施例に係る光情報記録再生装置の光ヘッド近傍の概略図である。
【図３】本発明の第１の実施例に係る光情報記録再生装置による光情報再生の様子を示す波形図である。
【図４】本発明の第２の実施例に係る光情報記録再生装置による光情報再生の様子を示す波形図である。
【図５】従来例のコリニア式ホログラフィを用いた光情報記録媒体の構成を示す断面図である。
【符号の説明】
【００５１】
４１  アドレス層
４２  ホログラム層
４３  記録再生用レーザ光
４４  ホログラム
４５  ダイクロイックミラー層
４６  光記録媒体
１０１  記録再生用レーザ（第１のレーザ光源）
１０２  空間変調素子
１０３  偏光ビームスプリッタ（ＰＢＳ）（再生用レーザ光用）
１０４  １／４波長板
１０５  対物レンズ
１０６  光検出器（再生用レーザ光用）
１０７  サーボ用レーザ（第２のレーザ光源）
１０８  ダイクロイックミラー
１０９  偏光ビームスプリッタ（ＰＢＳ）（サーボ用レーザ光用）
１１０  光検出器（サーボ用レーザ光用）
２０１  光記録媒体回転手段
２０２  光ヘッド
２０３  コリメータレンズ（再生用レーザ光用）
２０４  リレーレンズ（再生用レーザ光用）
２０５  １／４波長板（再生用レーザ光用）
２０６  １／４波長板（再生用レーザ光用）
２０７  コリメータレンズ（サーボ用レーザ光用）
２０８  リレーレンズ（サーボ用レーザ光用）
２０９  １／４波長板（サーボ用レーザ光用）
３０１  コントローラ
【図１】
2007148111.tif 000003
【図２】
2007148111.tif 000004
【図３】
2007148111.tif 000005
【図４】
2007148111.tif 000006
【図５】
2007148111.tif 000007